(57)【要約】      （修正有）【課題】筐体を壁につけて配置することができようにしたプロジェクションテレビを提供する。【解決手段】本プロジェクションテレビは、筐体の側部に排気口を設けたものであり、この排気口は、光学ユニットの光源を冷却する為の冷却流路の一部を構成する。具体的には、下部キャビネット３１の側部パネル３３，３４に吸気口３６及び排気口３７をそれぞれ設けたものである。側部パネル３３，３４は傾斜した状態で配置されたことを特徴とする。【選択図】        図２
2004297460.tif 000002
【特許請求の範囲】
【請求項１】
筐体の側部に排気口を設けたことを特徴とするプロジェクションテレビ。
【請求項２】
前記排気口は傾斜した前記側部に設けられていることを特徴とする請求項１記載のプロジェクションテレビ。
【請求項３】
前記排気口は、光学ユニットの光源を冷却するための冷却流路の一部を構成することを特徴とする請求項２記載のプロジェクションテレビ。
【発明の詳細な説明】
【０００１】
【発明の属する技術分野】
本発明はプロジェクションテレビに関し、特にその排気口の配置に関する。
【０００２】
【従来の技術】
従来のリアプロジェションテレビは、その内部に熱が発生するので冷却構造が組み込まれており、その冷却構造に対応して吸入口及び排気口がそれぞれ配置されている。そして、その排気口はキャビネットの背面に設けられているものがある（例えば特許文献１）。
【０００３】
【特許文献１】
特開平９−９８３６０号公報
【０００４】
【発明が解決しようとする課題】
従来のプロジェクションテレビの排気口はキャビネットの背面に設けられているので、部屋の壁につけた状態で配置することができず、或る程度間隔を設けなければならなかった。
【０００５】
本発明は、このような問題点を解決するためになされたものであり、部屋の壁につけた状態で配置できるようにしたプロジェクションテレビを提供することを目的とする。
【０００６】
【課題を解決するための手段】
本発明に係るプロジェクションテレビは、筐体の側部に排気口を設けたものである。本発明においては、排気口を筐体の側部に設けたので、プロジェクションテレビの背面を壁につけて設置できる。このため、視聴者側のスペースが広くなる。
【０００７】
また、本発明に係るプロジェクションテレビにおいて、前記排気口は傾斜した前記側部に設けられている。本発明においては、排気口を傾斜している側部に設けたので、プロジェクションテレビの側部（正面側）を壁にぴったりつけても、側部と壁との間に三角形状の空間が確保でき、排気に影響を与えない。このことは、プロジェクションテレビの側部（正面側）を家具にぴったりつけた場合においても同様である。
【０００８】
また、本発明に係るプロジェクションテレビにおいて、前記排気口は、光学ユニットの光源を冷却するための冷却流路の一部を構成する。光学ユニットの光源を冷却する場合には効率良く冷却する必要があるが、排気口の外側に近接して壁等があると風路抵抗が高くなるおそれがある。この点について、本発明においては、前記排気口が傾斜した前記側部に設けられているので、前記排気口の外側の空間が確保でき、風路抵抗が高くなるおそれがなく、光学ユニットの光源を効率良く冷却することができる。
【０００９】
【発明の実施の形態】
実施形態１．
図１はプロジェションテレビの正面側斜視図であり、図２は背面側斜視図である。このプロジェクションテレビ１０の筐体は上部キャビネット１１と下部キャビネット３１とから構成され、これらの上部キャビネット１１と下部キャビネット３１とは分離できるように形成されている。上部キャビネット１１は、後述のミラーが取り付けられるミラーケース１２と、このミラーケース１２の正面側の開口部周辺に形成されたフレーム枠１３と、このフレーム枠１３に取り付けられたスクリーン１４とを備えている。下部キャビネット３１は、フロントパネル３２、側部パネル３３，３４及びリアパネル３５を備えている。そして、側部パネル３３，３４には吸気口３６及び排気口３７がそれぞれ設けられている。
【００１０】
プロジェクションテレビ１０の平面形状は、正面側が長い辺をもった台形になっており、上部キャビネット１１及び下部キャビネット３１の側部は傾斜している。したがって、下部キャビネット３１の側部パネル３３，３４もまた傾斜している。この傾斜している側部パネル３３，３４には上述のように、吸気口３６及び排気口３７がそれぞれ設けられている。
【００１１】
この下部キャビネット３１には、上部キャビネット１１に設けられたスクリーン１４及びミラー（図示せず）を除き、プロジェクションテレビとしての必要な機器が装備されている。例えば、主要構成部として３枚の液晶パネル（Ｒ，Ｇ，Ｂ）及び駆動回路を含む映像機器、投射レンズ等が略中央部に配設され、その中央部から左右のいずれかの位置（本実施形態では正面から見て右側）に光源が着脱自在に配設され（これらを総称するときには光学ユニットという）、スピーカー３８は左右にそれぞれ配設されている。
【００１２】
図３は図１及び図２の上部キャビネット１１及び下部キャビネット３１において、ミラーケース１２及びフレーム枠１３と、フロントパネル３２、側部パネル３３，３４及びリアパネル３５とを外した状態の背面側斜視図である。ミラー１５はミラーケース１２の背面壁に取り付けられており、図３に示されるように傾斜して配置されている。ミラー１５の傾斜角は、前面側のスクリーン１４と光学ユニットの投射レンズ３９による映像の反射との設定された位置関係に基づいて設定される。下部キャビネット３１には、上記の他に、排気ファン４０が設けられており、この排気ファン４０に隣接してダクト４１が設けられている。ダクト４１は排気ファン４０による排気を排気口３７に導く。
【００１３】
図４は図１及び図２の上部キャビネット１１及び下部キャビネット３１において、フレーム枠１３及びスクリーン１４と、フロントパネル３２等とを取り外した状態の正面側斜視図、図５は図４のミラーケース１２の正面側斜視図、図６は図４のミラーケース１２等が取り外された状態の下部キャビネット３１の正面側斜視図である。
【００１４】
ミラーケース１２は、図５に示されるように、背面壁２１、１対の側壁２２，２３及び底面壁２４から構成されており、背面壁２１には上述のようにミラー１５が取り付けられる。底面壁２４は、その一部が下部キャビネット３１とで内部ダクト２５を形成しており（図４参照）、その内部ダクト２５の入り口となる開口部（切欠部）２４ａと、その内部ダクト２５の出口となる開口部２４ｂとがそれぞれ設けられている。開口部２４ａは、底面壁２４の前面側の中間部を切り欠いた状態で形成されており、光学ユニットの投射レンズ３９が臨むように配置される。下部キャビネット３１側の光学ユニットにより形成された映像は投射レンズ３９によりミラー１５に投射されるが、下部キャビネット３１と上部キャビネット１１とはこの開口部２４ａを介して映像の光路が形成されることとなる。
【００１５】
下部キャビネット３１は、図６に示されるように、その上面４２の一部が開放されており、例えば開口部４２ａはその左側が上記の開口部２４ａと対応しており、上記のミラーケース１２の底面壁２４によって覆われることとなり、上記のミラーケース１２の底面壁２４と下部キャビネット３１とによって内部ダクト２５が形成されることとなる。また、下部キャビネット３１の上面４２の右側の開口部４２ｂは、上記のミラーケースの底面壁２４によって覆われ、内部ダクト２６を形成することになる。
【００１６】
また、下部キャビネット３１の底部側においても、吸気口３６、光学ユニットの光源部分、排気ファン４０、ダクト４１及び排気口３７が連通して冷却流路を形成している。なお、図６の筐体における孔４３は上記の冷却流路を形成するためのものである。
【００１７】
図５のミラーケース１２と図６の下部キャビネット３１とを組み合わせると、図４に示されるような構成となり、ミラーケース１２と下部キャビネット３１との間に内部ダクト２５，２６が形成されて、第１の冷却流路及び第２の冷却流路がそれぞれ形成されることになる。
【００１８】
図７（Ａ）（Ｂ）は上記の第１の冷却流路５１の説明図であり、同図（Ａ）は同図（Ｂ）の一部を断面した側面図であり、同図（Ｂ）は図１のプロジェクションテレビからスクリーン等の部材を取り外した状態の正面図である。上記のように、ミラーケース１２の底面壁２４に形成された開口部２４ａは光学ユニットの液晶パネル５２と連通しており、また、この液晶パネル５２は、ミラーケース１２の底面壁２４と下部キャビネット３１とによって形成された内部ダクト２５と連通している。したがって、ミラーケース１２の開口部２４ａ−液晶パネル５２−内部ダクト２５−ミラーケース１２の開口部２４ｂ−ミラーケース１２の側壁２３−背面壁２１−側壁２２−ミラーケース１２の開口部２４ａという第１の冷却流路５１が形成されることになる。光学ユニットの液晶パネル５２は、ライトバルブとして機能するものであり、光源からの光の一部を吸収するので熱をもつことになるが、上記の第１の冷却流路５１にしたがって空気が流れることにより、液晶パネル５２が冷却されてその温度上昇が抑制される。なお、図示は省略したが、本実施形態１においては、液晶パネル５２の近傍には冷却ファン（図示せず）が設けられており、強制的に液晶パネル５２を冷却し、その冷却風は上記の第１の冷却流路５１に従って流れる。
【００１９】
図８（Ａ）（Ｂ）は第２の冷却流路５３の説明図であり、同図（Ａ）は同図（Ｂ）の一部を断面した側面図であり、同図（Ｂ）は図１のプロジェクションテレビのリアパネル等の部材を取り外した状態の背面図である。上記のように、側部パネル３３に形成された吸気口３６は、光学ユニットの光源５４と連通している。また、この光源５４は、ミラーケース１２の底面壁２４と下部キャビネット３１とによって形成さた内部ダクト２６と連通しており、この内部ダクト２６には排気ファン４０が配置されており、この排気ファン４０はダクト４１及び排気口３７に連通している。したがって、吸気口３６−光源５４−内部ダクト（排気ファン）２６−ダクト４１−排気口３７という第２の冷却流路５３が形成されることになる。この第２の冷却流路５３には排気ファン４０が設けられているので強制的に冷却空気が流れ、光源５４が効率良く冷却されてその温度上昇が抑制される。なお、排気口３７から吐出される空気（排気）は、背面側（後方）ではなく、側方（スクリーン面と平行な方向）（又は前方）に流れ出すようにするものとする。
【００２０】
ところで、プロジェクションテレビの光学ユニットは、光源ランプと、均一照明光学素子であるインテグレータレンズを有する均一照明光学系と、この照明光学系から出射される光束Ｗを、赤、緑、青の各色光束Ｒ、Ｇ、Ｂに分離する色分離光学系と、各色光束を変調する電気光学装置としての３枚の液晶パネルと、変調された色光束を合成する色合成光学系としてのプリズム合成体と、合成された光束を投写面上に拡大投射する投射レンズとを含んでいる。そして、光源と液晶パネルとの間には、均一照明光学系及び色分離光学系を構成する複数の光学素子（レンズ）が介在しており、これらの光学素子は光学ユニットを収納するユニットケース（図示せず）にしっかり嵌め込まれている。したがって、液晶パネルを冷却した空気が光学ユニットの内部を介して光源側に流入することはない。また、ユニットケースの外側についても、液晶パネル５２側と光源５４側とが下部キャビネットの内部筐体によって仕切られるようにし、液晶パネル５２側と光源５４側とが連通しないように構成されている。したがって、第１の冷却流路５１及び第２の冷却流路５３には何れも光学ユニットが介在しているが、冷却流路が第１の冷却流路５１と第２の冷却流路５３とに分断され両者は交差しない。
【００２１】
以上のように本実施形態においては、液晶パネルを冷却するための第１の冷却流路５１は外部から空気を取り込まずに、ミラーケース１２とスクリーン１４とによって形成される内部空間の空気を循環させて液晶パネルを冷却させるので、フィルタ等の外部の空気を取り込む際に配置される部材が不要であり、構造が簡単になっている。
【００２２】
また、光源を冷却するための第２の冷却流路５３は外部の空気を取り込むことになるが、第１の冷却流路５１とは交差しない構成になっており、光源を冷却するだけであり（液晶パネルを冷却しない）、光源を冷却する場合には外部から取り込んだ空気からごみ等を除去する必要がないので、構成の簡素化が図られる。勿論、第２の冷却流路５３の吸気口３６にフィルタを配置してもよいが、その場合においても、液晶パネルが流路に含まれないので、フィルタの塵埃除去能力が高くなくて済む。また、排気ファン４０の駆動によって冷却空気を排出することにより、内部に熱を奪った空気が停滞することがなくなるので、内部の温度はそれ程上昇しなくなり、内部に装備した機器において熱による諸々の悪影響が解消される。
【００２３】
また、第２の冷却流路５３を構成している吸気口３６及び排気口３７は側部パネル３３，３４に配置されているので、プロジェクションテレビの背面を壁につけて設置することができる。更に、側部パネル３３，３４は傾斜配置されているので、プロジェクションテレビの側面を壁にぴったりつけたり、或いは家具を近接して置いても、傾斜している側部パネル３３，３４との間に空間が確保できるので、吸入及び排気に影響を与えない。また、排気ファン４０（及び液晶パネルの冷却ファン）が、下部キャビネット３１の外壁側ではなく内部側に設けられているので、騒音の低減が図られている。
【００２４】
実施形態２．
なお、上記の実施形態１においては、第１の冷却流路にある液晶パネルの近傍に冷却ファン（図示せず）を設ける例について説明したが、この冷却ファンを設けなくとも、液晶パネルの熱による自然対流によって第１の冷却流路に沿って空気を循環させることも可能である。また、第１の冷却流路及び第２の冷却流路をを構成するミラーケース１２及び下部キャビネット３１の形態についても、上述の実施形態の例に限定されるものではなく適宜変形し得る。
【図面の簡単な説明】
【図１】実施形態１に係るプロジェクションテレビの正面側斜視図。
【図２】実施形態１に係るプロジェクションテレビの背面側斜視図。
【図３】図２のリアパネル等を外した状態の背面側斜視図。
【図４】フレーム枠等を取り外した状態の正面側斜視図。
【図５】ミラーケースの正面側斜視図。
【図６】下部キャビネットの正面側斜視図。
【図７】実施形態１の第１の冷却流路の説明図。
【図８】実施形態１の第２の冷却流路の説明図
【符号の説明】
１０  プロジェクションテレビ、１１  上部キャビネット、１２  ミラーケース、１３  フレーム枠、１４  スクリーン、１５  ミラー、２１  背面壁、２２，２３  側壁、２４  底面壁、２４ａ，２４ｂ  開口部、２５  内部ダクト、２６  内部ダクト、３１  下部キャビネット、３２  フロントパネル、３３，３４側部パネル  、３５  リアパネル、３６  吸気口、３７  排気口、３８  スピーカー、４０  排気ファン、４１  ダクト、５１  第１の冷却流路、５２  液晶パネル、５３  第２の冷却流路、５４  光源。
【図１】
2004297460.tif 000003
【図２】
2004297460.tif 000004
【図３】
2004297460.tif 000005
【図４】
2004297460.tif 000006
【図５】
2004297460.tif 000007
【図６】
2004297460.tif 000008
【図７】
2004297460.tif 000009
【図８】
2004297460.tif 000010